(57)【要約】      （修正有）【課題】水道メーター検針作業における顧客とメーターとの照合、認証等における正確性、迅速性、合理性の向上を図る水道メーターと検針用ハンディターミナルを提供する。【解決手段】水道メーターに、メーター履歴等を記憶したＩＣタグを取付ける。ハンディターミナルによってＩＣタグを読みとり、瞬時に照合、認証する。【選択図】図１
0003180525.tif 000002
【実用新案登録請求の範囲】
【請求項１】
水道メーターの履歴情報を記憶させたＩＣタグ等を当該水道メーターに取り付ける。
【請求項２】
照合、認証が１ボタンで終了するＩＣタグリーダ機能を有する検針用等ハンディターミナル。
【請求項３】
ＩＣタグの認証を行わない限り検針値等の入力が出来ない機能を持ったハンディターミナル。
【考案の詳細な説明】
【考案の詳細な説明】
【産業上の利用分野】
【０００１】  本考案は、水道メーターの検針作業の際に検針を行おうとする顧客と当該メーターの照合において、メーターの履歴情報を記憶させたＩＣタグを水道メーターに取付、ＩＣタグリーダ部を設けたハンディターミナルによって瞬時に照合、認証することが出来正確性、迅速性、作業性の向上を図るものである。
【背景技術】
【０００２】  個別の水道メーターの目的に応じた識別・管理の現状について、図２により説明する。水道料金調定の根拠となる水道メーター個々の認識は、工場で出荷時にメーター本体に刻印されるメーター番号（製造番号）▲５▼で行われている。【０００３】  水道メーターは出荷時より８年以内で交換することが法律で義務付けられており、メーター番号とともに出荷年月日の管理が厳重になされる。【０００４】  このメーターが水道事業体に納品された後は、各顧客より給水工事の申請がなされたとき、個別に水栓番号（所有者番号）▲６▼が付けられ、更に使用者番号（水道料金支払者）▲７▼が付けられる。【０００５】  水栓番号▲６▼と使用者番号▲７▼とは直接メーター本体の管理とは関係ないが、転居やメーターの撤去時には、これらの番号でメーターを識別して管理されることから、非常に煩雑となっており、一元化した管理が必要であった。【０００６】  水道メーターの検針作業は、検針員が通常２ヶ月に一回、定められた順路（各顧客の検針順番による）で各戸を訪問して行っている。【０００７】  この時、対象となっている当該メーターの検索、識別、認証そして照合（検針員が携帯する検針用ハンディ−ターミナル又は同等の機能を有する情報端末機の中に記憶され照合しようとしている個々の顧客データと現地で検針する個々の当該メーター）は、メーター本体に刻印されているところのメーター番号▲５▼を読み取って、検針用ハンディターミナル又は同等の機能を有する端末機のメーター番号▲５▼をディスプレイし、双方読み合わせて照合している。【０００８】  照合するメーター番号▲５▼は９桁もあり、又現地のメーターは地下に埋設されていることから、泥がかかって判別しにくい場合もあり、非常に手間取っていた。【０００９】  当該メーターに何らかの支障（メーターボックスの上に車輛等、障害物がある場合、留守などで宅地に入れない場合等）があって検針が出来ない状況の時又は検満メーターの取り換えで異なるメーター番号▲５▼となっている場合、検針者はそのメーターの検針を飛ばして次の当該メーターへ移動し、その後時間又は日取りを変えて再訪し検針していた。【００１０】  このとき、検針用ハンディ−ターミナル又は同等の機能を有する情報端末機の顧客データは巡回する順序で入力しているため、とびとびとなった当該データを検策するのに時間を費やしていた。【００１１】  又検満（出荷時より８年間経過のもの）メーターの取り換えで異なるメーター番号▲５▼となっている場合は、交換時の最終指針値及び開始指針値が分からないため水道事務所に戻り調査した上で使用水量を算出していた。【００１２】  検針用ハンディ−ターミナル又は同等の機能を有する情報端末機は検針値の入力において現場（当該メーター）に行かなくとも入力が出来るシステムとなっていることから故意によるデーターねつ造が出来た。
【考案が解決しようとする課題】
【００１３】  水道料金の調定は、一戸一戸訪問し、各顧客の給水管上に取り付けてある水道メーターを検針して行っている。この時、顧客と当該メーターの検索、識別、認証を行う照合作業が必要となる。
【００１４】  具体的には検針作業の現場で検針員が携帯する検針用ハンディターミナル又は同等の機能を有する情報端末機に記憶されているデータと当該メーターを検索、識別、認証して合致させる作業である。
【００１５】  この照合作業はメーターの製造時にメーター本体に刻印される９桁のメーター番号（製造番号）▲５▼を目視で確認して行っている。
【００１６】  しかし、９桁の数値で印字された数字が小さくて読みずらい上にメーターが設置してある場所は地中のため雨水によってしばしば泥まみれとなっており判読に非常に手間どっていた。
【００１７】  又検索する顧客データが記憶されている装置のディスプレーは屋外の為日光が入り読みずらく迅速かつ正確に照合できるシステムが望まれていた。
【００１８】  データの入出力を行う検針用ハンディターミナル又は同等の機能を有する情報端末機は現場にいかなくとも検針値が入力でき故意によるデータねつ造も可能となっており、この改善も望まれていた。
【００１９】  又水道メーターは製造日より８年以内で交換することが法律で定められており、前述した製造時につけられたメーター番号（製造番号）▲５▼で管理されている。
【００２０】  その後このメーターを使用するとき水栓番号（所有者番号）▲６▼、使用者番号（水道料金支払者）▲７▼が付けられ非常に分かりにくく煩雑となるため個々のメーターを認識するとき現場の当該メーターを対象として即３通りの個別番号が認識出来るシステムが望まれていた。
【課題を解決するための手段】
【００２１】  本考案は、メーター履歴情報を記憶させたパッシブＩＣタグを水道メーターに取り付け、それを読み取り照合、認証するハンディターミナルを考案し水道メーター検針作業の迅速性、正確性、合理性を可能としたものである。
【考案を実施するための形態】
【００２２】  以下、本考案の実施の形態を図面に従って説明する。
【００２３】  図１はパッシブ（電池レス）ＩＣタグ部の実施詳細である。ＩＣタグ部は水道メーター本体の近傍で見やすい個所に容易に取付けることができる構造としている。更にメーターを格納するメーターボックスが水没しても支障のないよう防水構造である。
【００２４】  ＩＣタグ部は検針用ハンディターミナル又は同等の機能を有する情報端末機に増設されたリーダ部からの電磁波をＩＣタグＲＦアンテナ▲１▼で受信する。
【００２５】  ＩＣタグＲＦアンテナ▲１▼で受信された信号は整流回路▲２▼によりＤＣ電源となりＲＦ送受信回路▲３▼と情報記憶回路▲４▼を起動させる。
【００２６】  あらかじめ情報記憶回路▲４▼に記憶されたメーター情報（製造年月日、メーター番号、水栓番号、使用者番号、その他等）はＲＦ送受信回路▲３▼を通ってＩＣタグＲＦアンテナ▲１▼から、ＩＣタグリーダ部を増設している検針用ハンディターミナル又は同等の機能を有する情報端末機に送られる。
【００２７】  この電磁波は検針用ハンディターミナル又は同等の機能を有する情報端末機に増設されたＩＣタグリーダ部のＲＦアンテナ▲８▼で受信される。
【００２８】  受信信号はＲＦ受信検出回路▲１０▼でメーターの個別情報を検出しＳＤ記憶回路▲１３▼に記憶されると共に表示回路▲９▼で表示される。
【００２９】  このようにメーターに取り付けられたＩＣタグを読んだとき自動的に当該メーターの情報が瞬時に本機のディスプレーに映し出されワンボタン操作等で人間の手を経ずに照合作業を可能とする。
【００３０】  さらに照合作業を行わない限り検針値の入力が出来ないようにしたことを特徴としている。
【００３１】  又必要なときに送信情報回路▲１２▼に新規追加情報を入力設定することにより、ＲＦアンテナ▲８▼を通してＩＣタグ部の情報記憶回路▲４▼に書き加えることも出来ることを特徴としている。
【考案の効果】
【００３２】  以上に述べたように水道メーターの検針作業はヒューマンエラーが起こりやすく、検針員の出来高の不均衡などで作業性の低下を招いていた。
本考案による検針用ハンディターミナル又は同等機能を有する情報端末機にＩＣタグリーダを増設し当該メーターにパッシブＩＣタグを取り付けることにより瞬時に正確に照合が可能となる。
【００３３】故意によるデータねつ造は本考案によればＩＣタグを認証しない限り検針値の入力が出来ないため必ず当該メーターまで出向かなければならず不正検針が抑制される。
【００３４】  各メーター管理は３通りに分かれ煩雑であったが本考案によって現場にて瞬時に認証出来るため整理の手間が大幅に短縮される。
【図面の簡単な説明】
【００３５】
【図１】パッシブ（電池レス）ＩＣタグ部
【図２】水道メーター認証管理概要
【図３】携帯型ＩＣタグリーダ部
【図４】ＩＣタグ取付実施例
【符号の説明】
【００３６】１・・・ＩＣタグＲＦアンテナ
２・・・整流回路
３・・・ＲＦ送受信回路
４・・・情報記憶回路
５・・・メーター番号（機体番号）
６・・・メーター水栓番号
７・・・使用者（お客様）番号
８・・・ＲＦアンテナ
９・・・表示回路
１０・・・ＲＦ受信検出回路
１１・・・ＲＦ送信回路
１２・・・送信情報回路
１３・・・ＳＤ記憶回路
１４・・・水道メーター本体
１５・・・ＩＣタグ
１６・・・水道メーター蓋
１７・・・給水管取付ナット
【図１】
0003180525.tif 000003
【図２】
0003180525.tif 000004
【図３】
0003180525.tif 000005
【図４】
0003180525.tif 000006
【手続補正書】
【提出日】平成24年9月25日(2012.9.25)
【手続補正１】
【補正対象書類名】実用新案登録請求の範囲
【補正対象項目名】全文
【補正方法】変更
【補正の内容】
【実用新案登録請求の範囲】
【請求項１】
水道メーターの履歴情報を記憶させたＩＣタグ付き水道メーター。
【請求項２】
請求項１に記載の水道メーターに取り付けられたＩＣタグを読み取るものであり、照合、認証が１ボタンで終了するＩＣタグリーダ機能を有する検針用ハンディターミナル。
【請求項３】
ＩＣタグの認証を行わない限り検針値の入力が出来ない機能を持った請求項２に記載の検針用ハンディターミナル。